(57)【要約】      （修正有）【課題】障害物自動検知システムを簡易に再現できるインパクトのある自動車販売促進物として機能させることが出来ると共に、いずれの場所においても走行させることが出来、障害物がある場合には瞬時に手前で自動的にストップする障害物検知センサーつきミニチュアカーを提供する。【解決手段】一対の前輪２と一対の後輪４と、一対の後輪を回動させるモーターと、モーターを駆動する電池と、電力をＯＮ、ＯＦＦするスイッチと、モーターの回転を一対の後輪に伝動する円筒ウォームと、円筒ウォームに直交して噛み合うウォームホイールとを有し、ウォームホイールは一対の後輪の車軸に設ける。フロント面には走行方向に向かって投光する赤外線センサー１２と、投光した光を障害物に当て、反射光を検知し、電力をスイッチＯＦＦする遮断部材１３とを設ける。【選択図】図３
0003180497.tif 000002
【実用新案登録請求の範囲】
【請求項１】
一対の前輪と一対の後輪と、前記一対の後輪を回動させるモーターと、該モーターを駆動する電池と、電池からの電力をＯＮ、ＯＦＦするスイッチと、前記モーターの回転を一対の後輪に伝動する円筒ウォームと、該円筒ウォームに直交して噛み合うウォームホイールとを有し、前記ウォームホイールは前記一対の後輪の車軸に設けられてなるミニチュアカーであり、
前記ミニチュアカーのフロント面には走行方向に向かって投光する赤外線センサーと、前記赤外線センサーが投光した光を障害物に当て、反射した光を検知し、前記電池からの電力をスイッチＯＦＦする遮断部材とを有する、
ことを特徴とした障害物検知センサーつきミニチュアカー。
【考案の詳細な説明】
【技術分野】
【０００１】
本考案は、乾電池を電源としてモーターにより走行し、フロント面には赤外線センサーを搭載することにおり、前方にある障害物を検知し、障害物の手前でストップする障害物検知センサーつきミニチュアカーに関するものである。
【背景技術】
【０００２】
従来より、ミニチュアカーについては各種の発明がなされ、またミニチュアカーについて障害物を避けるための各種の制御方法が提案されている。
【０００３】
例えば、特開２００１−４６７５３号公報に記載された「障害物回避走行玩具」としてミニチュアカーが示されており、該ミニチュアカーは、永久磁石をミニチュアカーの先端部分に備えると共に、障害物側においても前記永久磁石に反発する磁力を有する永久磁石を備えて構成したものである。
【０００４】
よって、ミニチュアカーが障害物に近づくと、磁力が反発してミニチュアカーが方向転換し、前記障害物に衝突しないという構成を採用している。
【先行技術文献】
【特許文献】
【０００５】
【特許文献１】特開２００１−４６７５３号公報
【考案の概要】
【考案が解決しようとする課題】
【０００６】
しかしながら、前記従来のミニチュアカーでは、ミニチュアカー側のみならず、多数の障害物側にも全て、前記ミニチュアカーの永久磁石に反発する磁力側を外側にした永久磁石を取り付けなければならず、玩具としての製造コストが高価になってしまうとの課題があった。
【０００７】
また、前記従来のミニチュアカーでは、前記永久磁石が取り付けられた障害物のある場所でしか当該ミニチュアカーを走行させることが出来ないとの課題もある。
【０００８】
かくして、本考案は前記従来の事情に鑑みて創案されたものであり、また、実際の自動車に搭載される「障害物自動検知システム」をミニチュアカーによって簡易に再現できるインパクトのある自動車販売促進物として機能させることが出来ると共に、ミニチュアカー側のみならず、多数の障害物側にも全て、前記ミニチュアカーの永久磁石に反発する磁力側を外側にした永久磁石を取り付けることを必要とせず、しかも、前記永久磁石が取り付けられた障害物のある場所でしか当該ミニチュアカーを走行させることが出来ないとの課題もなく、いずれの場所においても走行させることが出来、障害物がある場合には瞬時にミニチュアカーの走行が障害物の手前で自動的にストップする障害物検知センサーつきミニチュアカーを提供することを目的とするものである。
【課題を解決するための手段】
【０００９】
本考案による障害物検知センサーつきミニチュアカーは、
一対の前輪と一対の後輪と、前記一対の後輪を回動させるモーターと、該モーターを駆動する電池と、電池からの電力をＯＮ、ＯＦＦするスイッチと、前記モーターの回転を一対の後輪に伝動する円筒ウォームと、該円筒ウォームに直交して噛み合うウォームホイールとを有し、前記ウォームホイールは前記一対の後輪の車軸に設けられてなるミニチュアカーであり、
前記ミニチュアカーのフロント面には走行方向に向かって投光する赤外線センサーと、前記赤外線センサーが投光した光を障害物に当て、反射した光を検知し、前記電池からの電力をスイッチＯＦＦする遮断部材とを有する、
ことを特徴とするものである。
【考案の効果】
【００１０】
本考案による障害物検知センサーつきミニチュアカーであれば、実際の自動車に搭載される「障害物自動検知システム」をミニチュアカーによって簡易に再現できるインパクトのある自動車販売促進物として機能させることが出来ると共に、ミニチュアカー側のみならず、多数の障害物側にも全て、前記ミニチュアカーの永久磁石に反発する磁力側を外側にした永久磁石を取り付けることを必要とせず、しかも、前記永久磁石が取り付けられた障害物のある場所でしか当該ミニチュアカーを走行させることが出来ないこともなく、いずれの場所においても走行させられ、障害物のある箇所では走行を自動的にストップするとの優れた効果を奏する。
【図面の簡単な説明】
【００１１】
【図１】本考案の概略構成説明図（１）である。
【図２】本考案の概略構成説明図（２）である。
【図３】本考案の概略構成説明図（３）である。
【図４】本考案の概略構成説明図（４）である。
【考案を実施するための形態】
【００１２】
以下、本考案を図面に示す実施例に基づいて説明する。
【００１３】
符号1は本考案によるミニチュアカーを示す。
該ミニチュアカー1は、一対の前輪２、２とこの一対の前輪２、２を連結する車軸３と、一対の後輪４、４と該一対の後輪４、４を連結する車軸５とを有している。
【００１４】
符号6は車台を示し、該車台6の前方部分に一対の前輪２、２が、後方部分に一対の後輪４、４が取り付けられている。車台６の上には例えば強化プラスチックなどの合成樹脂材で形成された車のボディ１４が搭載されてミニチュアカー１の外形が形成されている。
【００１５】
なお、当該車台６の上には前記一対の後輪４、４を回動させる為のモーター７が搭載され、その上に車のボディ１４が被せられる。
【００１６】
そして、該モーター７は、回転する回転軸の方向がミニチュアカー１の走行方向になるように搭載されている。
【００１７】
ここで、前記回転軸にはモーター７の回転を一対の後輪４、４に伝動するネジ状の歯車から構成された円筒ウォーム８が連結されている。
【００１８】
また、車台６に取りつけられた一対の後輪４、４を連結する車軸５には前記円筒ウォーム８に直交して噛み合う歯車を有するウォームホイール９が設けられている。こお円筒ウォーム８とこれに噛み合うウォームホイール９とは、いわゆる食違い軸の歯車として最も多く使用されているもので、この軸角は90度の角度が一般的となっている。
【００１９】
よって、モーター７が回転し、円筒ウォーム８が回転すると、該円筒ウォーム８に直交して噛み合う歯車を有するウォームホイール９が回転し、ウォームホイール９の回転と同様に車軸５及び後輪４、４が回転してミニチュアカー１が前方に走行するものとなる。
【００２０】
符号１０は前記モーター７を駆動する電源に使用される電池であり、通常はマンガン電池の単４サイズ２本が使用される。符号１１は前記電池１０からの電力をＯＮ、ＯＦＦするスイッチであり、該スイッチ１１をＯＮ側へ移動させると、モーター７が作動して後輪４、４が回転し、ＯＦＦ側へ移動させるとモーター７がストップする。
【００２１】
次に、符号１２は、ミニチュアカー１の車台６におけるフロント面に設けられた赤外線センサーであり、該赤外線センサー１２はミニチュアカー１の走行方向に向かって投光する様設置されている。なお、赤外線センサー１２への電力供給も前記電池１０によってなされる。
【００２２】
符号１３は前記赤外線センサー１２が投光した光を障害物に当て、前記障害物に当たって反射した光を検知したとき、前記電池１０からの電力をスイッチＯＦＦする遮断部材を示す。ここで、当該遮断部材１３はモーター７と電池１０を繋ぐ導電線間に取り付けられており、赤外線センサー１２が障害物を検知したとき、この検知信号が遮断部材１３側に送出され、遮断部材１３は電池１０からモーター７を作動させるための電力をＯＦＦする。
【００２３】
すると、モーター７は回転をストップする。モーター７が回転をストップすると、モーター７の回転軸と連通する円筒ウォーム８が回転をストップし、これに伴い、円筒ウォーム８に対し、直交方向で噛み合っているウォームホイール９が回転をストップする。
【００２４】
そして、ウォームホイール９の回転がストップすることにより、後輪４、４の回転が止まり、ミニチュアカー１は障害物の手前で停止するものとなる。
【００２５】
以上において、この考案によるミニチュアカー１の使用方向につき説明すると、まず、ミニチュアカー１を逆さまにしてスイッチ１１をＯＮすると、モーター７が作動し、後輪４、４が回転する。
【００２６】
その状態でミニチュアカー１を走行状態にして降ろし、平面の上で走行させる。すると、ミニチュアカー１は直進走行する。そして、前方に障害物があると、その障害物を赤外線センサー１２が検知し、その検知信号を遮断部材１３に送出する。遮断部材１３は検知信号を受け取ったときにモーター７を作動させる電源をＯＦＦする。これにより、回転作動ストップした円筒ウォーム８とこれに直交して噛み合うウォームホイール９との間にギアの抵抗力が生じ、走行回転している後輪４、４の回転を止める。これにより、ミニチュアカー１は障害物の手前で停止するものとなる。
一般公開で +1 しました 取り消す
【符号の説明】
【００２７】
１      ミニチュアカー
２      前輪
３      車軸
４      後輪
５      車軸
６      車台
７      モーター
８      円筒ウォーム
９      ウォームホイール
１０    電池
１１    スイッチ
１２    赤外線センサー
１３    遮断部材
１４    車のボディ
【図１】
0003180497.tif 000003
【図２】
0003180497.tif 000004
【図３】
0003180497.tif 000005
【図４】
0003180497.tif 000006